(57)【要約】【課題】楽等の音と発光素子の連動感をより向上させた音声連動型イルミネーション装置を提供すること。【解決手段】音声信号から周波数情報を得る低域／高域フィルタと、前記低域／高域フィルタから低域／高域それぞれの音圧情報を得る振幅検出回路と、前記低域／高域振幅回路の出力値を検出し、それぞれの変化量を比較／制御信号に変換するマイコンと、前記マイコンから出力される信号を発光素子の制御信号に変換する駆動回路と、その出力信号をイルミネーションに変換する発光素子とを備え、音声信号からの低域／高域の音圧情報にて変化量の大きい方をイルミネーション変化に変換でき、より連動感のあるイルミネーションを提供することを特徴とする。【選択図】図１
2008226644.tif 000002
【特許請求の範囲】
【請求項１】
音声信号が入力され、前記音声信号の低域の振幅を示す低域振幅信号及び前記音声信号の高域の振幅を示す高域振幅信号を出力する低域／高域振幅信号作成手段と、
前記低域振幅信号及び前記高域振幅信号が入力され、駆動回路制御信号を出力するマイコンを備え、
前記マイコンは
前記低域振幅信号及び前記高域振幅信号の変化量を検知すると共に、前記低域振幅信号及び前記高域振幅信号のうち変化量が大きい方の振幅信号に基づき、駆動回路制御信号を作成することを特徴とする発光素子駆動装置。
【請求項２】
前記マイコンは、
前記低域振幅信号及び前記高域振幅信号の変化量が所定の閾値より小さい場合は、前記駆動回路制御信号を固定する特徴とする請求項１に記載の発光素子駆動装置。
【請求項３】
前記低域／高域振幅信号作成手段は、
入力された音声信号の低域情報を抜き取り出力する低域フィルタと、
前記低域フィルタの出力される低域音声信号から低域振幅信号を作成する低域振幅検出回路と、
入力された音声信号の高域情報を抜き取り出力する高域フィルタと、
前記高域フィルタの出力される高域音声信号から高域振幅信号を作成する高域振幅検出回路と、
で構成されることを特徴とする請求項１に記載の発光素子駆動装置。
【発明の詳細な説明】
【技術分野】
【０００１】
本発明は音声と発光素子（例えばバックライト、ＬＥＤ等）を伴う装置において、音声成分の検出および発光素子の制御に関するものである。
【背景技術】
【０００２】
近年カーテレビ分野において、車の前席に限らず車の後席などにも薄型のディスプレイ装置（ＬＣＤ）が取り付けられるようになってきている。その用途として、単に映像／音楽を楽しむだけでなく、その位置関係から、天井に設けることで照明として兼用することが多くなってきている。さらに、その車体空間の中においてより快適さを増すためのムード照明のような効果、あるいは遊び感覚を増すための音楽とイルミネーションが連動するディスコ的効果が求められてきている。
【０００３】
一般に音声とイルミネーションを連動させる取り組みはカーエレクトロニクス分野だけでなく、さまざまな分野で使われている。
【０００４】
例えば、特許文献１ではシャワー装置として風呂場の空間での楽しさを表す効果として音声連動のイルミネーション効果を提案している。連動感を出す為の手段として、音楽信号のゼロクロスをゼロボルトスイッチで検出し、そのゼロクロス数をカウンタで係数しその係数結果に応じてマイコンにより発光素子の光量（明るさ）を制御している。
【０００５】
また、特許文献２では、より音声と発光素子との連動感を出すために音声信号を低域／高域フィルタおよび振幅レベル検出回路を、マイコンにより解析／演算する。その結果、音圧を発光素子の光量（明るさ）、周波数を発光色（例えば赤が高域、青が低域を意味する）に変換することにより、より音楽との連動感を与えることを提案している。
【特許文献１】特開平３−４１９１８号公報
【特許文献２】特開２００１−３２６０８５号公報
【発明の開示】
【発明が解決しようとする課題】
【０００６】
しかし上述に示す特許文献１では、音声周波数を直接光信号に変換するため、多くの場合ちらつきが多くなり、音と光の同期が得られないことがしばしばある。また、特許文献２では、周波数が発光色に変換されるため、たとえばユーザが落ち着いた雰囲気の音楽で落ち着いた色固定でイルミネーションを楽しみたい時にも雰囲気色が様々な色に変化するため、落ち着いた雰囲気を味わうことができない。
【０００７】
そこで本発明は、音楽等の音と発光素子の連動感をより向上させた音声連動型イルミネーション装置を提供することを目的とするものである。
【課題を解決するための手段】
【０００８】
前記課題を解決するために本発明の発光素子駆動装置は、バックライトなどの発光素子を制御する手段として、低域フィルタ／高域フィルタおよび振幅検出回路通過した信号をそれぞれマイコンにより検出し、それぞれの変化量を比較した結果、変化量の大きい方をイルミネーション制御信号に変換することにより、曲全体のリズム感が検出でき、より音楽との連動感を得ることを特徴とするものである。また、周波数情報、音圧情報いずれも明るさレベルに変換するため、同一色にてイルミネーション効果を提供することができ、例えば、静かな音楽において青固定色で連動感のあるイルミネーション（落ち着いた空間）などを提供することを特徴とするものである。
【発明の効果】
【０００９】
以上のように本発明によれば、音声信号から低域／高域の音声情報をバックライト制御に変換する方式において、低域／高域の音圧情報を検出し、いずれの変化量が大きいかを比較し、その結果によりイルミネーション変化することで、全体のリズム感を検出／イルミネーション変化することができ、より音楽に連動したイルミネーション効果を得ることができる。
【００１０】
また、微小な変化量はイルミネーション変化に反映させないことから、パカツキ感も低減でき、より快適な音楽に連動したイルミネーション効果を得ることができる。
【発明を実施するための最良の形態】
【００１１】
（実施の形態１）
図１は本発明の音声連動型イルミネーション装置の構成図の一例である。
【００１２】
図２は、図１のマイコン６における動作を示すフローチャートである。図３は輝度反映するデータ候補とＰＷＭ値の関係を示すグラフである。
【００１３】
図１において、１はイルミネーションに連動させる音声信号が入力される音声信号入力部、２は音声信号の低域情報（低域音声信号）を抜き取る低域フィルタ、３は音声信号の高域情報（高域音声信号）を抜き取る高域フィルタ、４は低域音声信号の音圧（振幅）を検出し低域振幅信号として出力する低域振幅検出回路、５は高域音声信号の音圧（振幅）を検出すし高域振幅信号として出力する高域振幅検出回路である。６は低域高域振幅信号と高域振幅信号を検出し、駆動回路７を制御する駆動回路制御信号を出力するマイコンであり、低域振幅信号が入力される低域振幅信号入力部６１と高域振幅信号が入力される高域振幅信号入力部６２、駆動回路制御信号を出力する出力端子６３が設けられている。７はマイコン６から出力される駆動回路制御信号を発光素子制御信号に変換する駆動回路、８は駆動回路７から出力される発光素子制御信号をイルミネーションに変換する発光素子である。
【００１４】
イルミネーションに連動させせる音声信号が音声信号入力部１はそれぞれ低域フィルタ２、高域フィルタ３入力される。低域フィルタ２では音声信号の低域成分のみが通過する。ここで低域成分とは、例えば、数十Ｈｚ〜３００Ｈｚである。一方、高域フィルタ３では音声信号の高域成分のみが通過する。ここで高域成分とは、例えば、１ｋＨｚ〜５ｋＨｚｚである。
【００１５】
低域振幅検出回路４は、低域フィルタ２を通過した低域成分の音声信号を音圧情報に変換し、低域振幅信号としてマイコン６に備えられた低域振幅信号入力部６１に入力される。また、振幅検出回路５は、高域フィルタ３を通過した高域成分の音声信号を音圧情報に変換し、高域振幅信号としてマイコン６に備えられた高域振幅信号入力部６２に入力される。
【００１６】
マイコン６は、入力された低域振幅信号／高域振幅信号のそれぞれの振幅信号はに基づき、駆動回路制御信号への変換が行われ、駆動回路制御信号がマイコン６の出力端子６３から出力される。駆動回路制御信号への変換の詳細については後述する。
【００１７】
駆動回路７は、入力された駆動回路制御信号から、駆動回路７内で発光素子８を制御する発光素子制御信号に変換される。例えば液晶モニタの場合、駆動回路７はインバータ回路、発光素子８はバックライトに相当し、インバータ回路内でバックライトの調光信号に変換され、その信号によりバックライト制御をおこなうことでイルミネーションとして変換される。
【００１８】
次に、マイコン６における駆動回路制御信号への変換について具体的に図２のフローチャートにて説明する。ここで、図２に記載のＮｏｗ＿Ｌｏｗ＿Ｆｒｅｑ、Ｌａｓｔ＿Ｌｏｗ＿Ｆｒｅｑ、Δｆｒｅｑ＿ｌｏｗ、Ｎｏｗ＿Ｈｉｇｈ＿Ｆｒｅｑ、Ｌａｓｔ＿Ｈｉｇｈ＿Ｆｒｅｑ、Δｆｒｅｑ＿Ｈｉｇｈ、ｄｅｔ＿ｆｒｅｑ及びＭＩＮ＿ｄｅｔはレジスタ名であり、Ｎｏｗ＿Ｌｏｗ＿Ｆｒｅｑは現在の低域振幅信号を、Ｌａｓｔ＿Ｌｏｗ＿Ｆｒｅｑは前回の低域振幅信号を、Δｆｒｅｑ＿ｌｏｗは低域振幅変化量を、Ｎｏｗ＿Ｈｉｇｈ＿Ｆｒｅｑは現在の高域振幅信号を、Ｌａｓｔ＿Ｈｉｇｈ＿Ｆｒｅｑは前回の高域振幅信号を、Δｆｒｅｑ＿Ｈｉｇｈは高域振幅変化量を、ｄｅｔ＿ｆｒｅｑは輝度反映するデータ候補を、ＭＩＮ＿ｄｅｔは輝度反映最小値（パカツキ対策）を示す。
【００１９】
図２に示すフローチャートはメインプログラムの際にコールされるルーチンである。まず、ステップＳ１でマイコン６に入力された低域振幅信号（低域振幅信号入力部６１へ入力）が現在の低域振幅信号Ｎｏｗ＿Ｌｏｗ＿Ｆｒｅｑに格納される。次にステップＳ２にて前回の低域振幅信号Ｌａｓｔ＿Ｌｏｗ＿Ｆｒｅｑとの差分をとり、差分の絶対値が低域振幅変化量Δｆｒｅｑ＿ｌｏｗに格納される。ステップＳ３、Ｓ４では高域振幅信号（高低域振幅信号入力部６２へ入力）も同様に処理され、差分の絶対値が高域振幅変化量Δｆｒｅｑ＿Ｈｉｇｈに格納される。
【００２０】
次にステップＳ５において低域振幅変化量Δｆｒｅｑ＿ｌｏｗと高域振幅変化量Δｆｒｅｑ＿Ｈｉｇｈの比較が行われ、高域振幅変化量Δｆｒｅｑ＿Ｈｉｇｈが大きい場合にはステップＳ６、低域振幅変化量Δｆｒｅｑ＿ｌｏｗが大きい場合にはステップＳ７へ移行する。ステップＳ６では、高域振幅変化量Δｆｒｅｑ＿Ｈｉｇｈと輝度反映最小値ＭＩＮ＿ｄｅｔと比較し、高域振幅変化量Δｆｒｅｑ＿Ｈｉｇｈが輝度反映最小値ＭＩＮ＿ｄｅｔより大きければ、ステップ８へ移行する。高域振幅変化量Δｆｒｅｑ＿Ｈｉｇｈが輝度反映最小値ＭＩＮ＿ｄｅｔより小さければ、ステップＳ１２へ移行する。
【００２１】
ステップＳ７では、低域振幅変化量Δｆｒｅｑ＿ｌｏｗと輝度反映最小値ＭＩＮ＿ｄｅｔと比較し、低域振幅変化量Δｆｒｅｑ＿ｌｏｗが輝度反映最小値ＭＩＮ＿ｄｅｔより大きければ、ステップ９へ移行する。低域振幅変化量Δｆｒｅｑ＿ｌｏｗが輝度反映最小値ＭＩＮ＿ｄｅｔより小さければ、ステップＳ１２へ移行する。これにより、微弱な変化量を輝度変化した際にパカツキ感が増し、音声との同期感が得られなくなることを防ぐことができる。
【００２２】
ステップＳ６において、高域振幅変化量Δｆｒｅｑ＿Ｈｉｇｈが輝度反映最小値ＭＩＮ＿ｄｅｔより大きいかった場合には、ステップＳ８にて高域振幅信号Ｎｏｗ＿Ｈｉｇｈ＿Ｆｒｅｑが輝度反映するデータ候補ｄｅｔ＿ｆｒｅｑに格納される。また、ステップＳ７において、低域振幅変化量Δｆｒｅｑ＿ｌｏｗが輝度反映最小値ＭＩＮ＿ｄｅｔより大きいかった場合には、ステップＳ９にて低域振幅信号Ｎｏｗ＿Ｌｏｗ＿Ｆｒｅｑが輝度反映するデータ候補ｄｅｔ＿ｆｒｅｑに格納される。尚、輝度反映最小値ＭＩＮ＿ｄｅｔは、不揮発性ＲＯＭ（図示せず）に格納され、パカツキ感を低減し、曲の連動感を損なわない値に任意に設定することができる。
【００２３】
次に輝度反映するデータ候補ｄｅｔ＿ｆｒｅｑは、ステップＳ１０において駆動回路制御信号に変換される。図３は、輝度反映するデータ候補ｄｅｔ＿ｆｒｅｑを駆動回路制御信号に変換するグラフを示している。本実施の形態では駆動回路制御信号としてＰＷＭパルスを用いる。また、このグラフは不揮発性ＲＯＭに変換テーブルとして格納される。また、図３において、ＰＷＭ値が０とはＰＷＭパルスのＤＵＴＹ比が０％の場合を示し、ＰＷＭ値が２５５とはＰＷＭパルスのＤＵＴＹ比が１００％の場合を示す。図３に示すように、一般的には輝度反映するデデータ候補ｄｅｔ＿ｆｒｅｑに対して、ＰＷＭ値は比例の関係で十分連動感が得られるが、不揮発性ＲＯＭに変換テーブルとして格納されているため、音楽に応じて２次曲線などにすることもできる。
【００２４】
変換された駆動回路制御信号はステップＳ１１において、出力端子６３から出力される。最後に、ステップ１２にて、現在の低域振幅信号Ｎｏｗ＿Ｌｏｗ＿Ｆｒｅｑと現在の高域振幅信号Ｎｏｗ＿Ｈｉｇｈ＿Ｆｒｅｑがそれぞれ前回の低域振幅信号Ｌａｓｔ＿Ｌｏｗ＿Ｆｒｅｑ、前回の高域振幅信号として格納され、再びステップ２へと移行する。
【００２５】
かかる構成によると、低域／高域の音圧情報を検出していずれの変化量が大きいかを比較し、変化量が大きい方の音圧情報に基づいて、発光素子を制御することができる。したがって、低域の音圧の変化量が大きい場合には、低域の音圧に基づいて発光素子を制御する一方、高域の音圧の変化量が大きい場合には、高域の音圧に基づいて発光素子を制御することができる。その結果、全体のリズム感を反映したイルミネーション変をさせることができ、より音楽に連動したイルミネーション効果を得ることができる。
【産業上の利用可能性】
【００２６】
本発明にかかる映像検索装置は、音楽に連動したイルミネーション効果を得ることができるものであり、発光素子駆動装置等において有用である。
【図面の簡単な説明】
【００２７】
【図１】本発明の実施の形態１における発光素子駆動装置の構成図
【図２】図１のマイコン６における動作を示すフローチャート
【図３】図２のステップ１０における輝度反映するデータ候補とＰＷＭ値の関係を示すグラフ
【符号の説明】
【００２８】
１    音声信号
２    低域フィルタ
３    高域フィルタ
４    低域振幅検出回路
５    高域振幅検出回路
６    マイコン
７    駆動回路
８    発光素子
６１    低域振幅信号入力部
６２    高域振幅信号入力部
６３    出力端子
【図１】
2008226644.tif 000003
【図２】
2008226644.tif 000004
【図３】
2008226644.tif 000005